(57)【特許請求の範囲】
【請求項１】
両足を保持する足支持部材（５）を備え、該足支持部材（５）は、底壁部（１７）と、底壁部（１７）の左右両側から突出した左右一対の側壁部（１８）と、該一対の側壁部（１８）間に位置するように底壁部（１７）の左右中央側から突出した中央壁部（１９）とを有し、前記左右一対の側壁部（１８）と中央壁部（１９）との間が、足の片方をそれぞれ嵌合保持する一対の足保持溝（２０）とされ、足保持溝（２０）に嵌合保持された足を、空気の給排により膨張収縮して押圧するエアセル（２３，２４）が具備されたマッサージ機において、
前記左右一対の側壁部（１８）が、左右方向内方に折り畳み自在に構成されており、
前記左右一対の側壁部（１８）を折り畳んだとき、中央壁部（１９）及び左右一対の側壁部（１８）の前面部が略面一になることを特徴とするマッサージ機。
【請求項２】
左右一対の側壁部（１８）が、左右方向内方に折り畳まれる折畳姿勢と、中央壁部（１９）との間で一対の足保持溝（２０）を形成するように底壁部（１７）から突出する使用姿勢とに変更可能になるように、左右一対の側壁部（１８）が回動自在に支持されていることを特徴とする請求項１に記載のマッサージ機。
【請求項３】
前記エアセル（２３，２４）の膨張によって、折畳姿勢にある左右一対の側壁部（１８）を、使用姿勢に展開可能に構成されていることを特徴とする請求項３に記載のマッサージ機。
【請求項４】
前記左右一対の側壁部（１８）を、折畳姿勢と使用姿勢とに移動させる駆動手段が設けられていることを特徴とする請求項１又は２に記載のマッサージ機。
【請求項５】
前記駆動手段は、１個のアクチュエータ（３３）で前記左右一対の側壁部（１８）を折畳姿勢と使用姿勢とに移動させるものであることを特徴とする請求項４に記載のマッサージ機。
【発明の詳細な説明】
【０００１】
【産業上の利用分野】
本発明は、マッサージ機に関するものである。
【０００２】
【従来の技術】
従来のマッサージ機には、両足を嵌合保持する足支持部材（フットレスト）を備え、空気の給排により膨張収縮するエアセルによって、足支持部材に嵌合保持された足を、押圧によるマッサージをするようにしたものがあり、従来のこの種のマッサージ機の足支持部材は、底壁部と、底壁部の左右両側から突出した左右一対の側壁部と、該一対の側壁部間に位置するように底壁部の左右中央側から突出した中央壁部とを有し、前記左右一対の側壁部と中央壁部との間に、足の片方をそれぞれ嵌合保持する足保持溝が形成され、足保持溝に嵌合保持された足を、空気の給排により膨張収縮するエアセルによって、押圧するようにしたものがある。
【０００３】
【発明が解決しようとする課題】
しかし、従来の場合、足支持部材の左右一対の側壁部が底壁部の左右両側から大きく突出しているため、運搬や収納時又は不使用時等に足支持部材が嵩張り不便であった。
本発明は上記問題点に鑑み、足支持部材をコンパクトに折り畳んで収納や運搬の際や不使用時の際等に嵩張らないようにしたものである。
【０００４】
【課題を解決するための手段】
上記問題点を解決する本発明の技術手段は、両足を保持する足支持部材５を備え、該足支持部材５は、底壁部１７と、底壁部１７の左右両側から突出した左右一対の側壁部１８と、該一対の側壁部１８間に位置するように底壁部１７の左右中央側から突出した中央壁部１９とを有し、前記左右一対の側壁部１８と中央壁部１９との間が、足の片方をそれぞれ嵌合保持する一対の足保持溝２０とされ、足保持溝２０に嵌合保持された足を、空気の給排により膨張収縮して押圧するエアセル２３，２４が具備されたマッサージ機において、前記左右一対の側壁部１８が、左右方向内方に折り畳み自在に構成されており、前記左右一対の側壁部１８を折り畳んだとき、中央壁部１９及び左右一対の側壁部１８の前面部が略面一になる点にある。
【０００５】
本発明の他の技術手段は、左右一対の側壁部１８が、左右方向内方に折り畳まれる折畳姿勢と、中央壁部１９との間で一対の足保持溝２０を形成するように底壁部１７から突出する使用姿勢とに変更可能になるように、左右一対の側壁部１８が回動自在に支持されている点にある。
本発明の他の技術手段は、前記エアセル２３，２４の膨張によって、折畳姿勢にある左右一対の側壁部１８を、使用姿勢に展開可能に構成されている点にある。
【０００６】
本発明の他の技術手段は、前記左右一対の側壁部１８を、折畳姿勢と使用姿勢とに移動させる駆動手段が設けられている点にある。また、本発明の他の技術手段は、前記駆動手段が１個のアクチュエータ３３で前記左右一対の側壁部１８を折畳姿勢と使用姿勢とに移動させるものである点にある。
【０００７】
【実施の形態】
以下、本発明の実施の形態を図面に基づいて説明する。
図３は、椅子型のマッサージ機１の全体構成を示している。図３において、マッサージ機１は、脚体２により支持された座部３と、座部３の後部に設けられた背凭れ部４と、座部３の前部下方に設けられた足支持部材（フットレスト）５と、座部３の左右両側に設けられたひじ掛け部６とを具備している。背凭れ部４は、図示省略のリクライニング装置により座部３の後端側を支点としてリクライニング可能に構成されている。
【０００８】
背凭れ部４の左右中央部にマッサージ器８が昇降自在に内蔵されている。マッサージ器８は、複数の施療子（揉み玉、マッサージ用のローラ）９を備え、マッサージ用モータの回転動力を施療子９に伝達して該各施療子９に揉み動作や叩き動作をさせるように構成されている。また、マッサージ器８は、昇降手段により背凭れ部４内を上下移動（昇降）可能に構成されている。
前記座部３には、前後に複数の袋状のエアセル１３，１４が設けられている。各エアセル１３，１４は、袋状に形成されて座部３内に組み込まれ、空気を供排することにより空気圧によって膨張収縮動作するように構成され、後側のエアセル１３は使用者の尻を押圧によるマッサージをし、前側のエアセル１４は、使用者の太ももを押圧によるマッサージをするようになっている。
【０００９】
図１及び図２において、前記足支持部材５は、底壁部１７と、底壁部１７の左右両側から前方突出した左右一対の側壁部１８と、該一対の側壁部１８間に位置するように底壁部１７の左右中央側から突出した中央壁部１９とを有し、前記左右一対の側壁部１８と中央壁部１９との間が、足の片方をそれぞれ嵌合保持する一対の足保持溝２０とされている。
足支持部材５の各足保持溝２０における後、左、右の各内壁面に、エアセル２３、２４が、足保持溝２０の溝方向の一端側と他端側とに分けて６個ずつ設けられている。６個のエアセル２３によって足のふくらはぎをマッサージする左右一対のマッサージ具２５が構成され、６個のエアセル２４によって足首をマッサージする左右一対のマッサージ具２６が構成されている。従って、エアセル２３，２４は、合計で１２個あって、左右一対の側壁部１８の内面側に２個ずつの計４個組み込まれ、中央壁部１９の両側面側に４個組み込まれ、底壁部１７の前面側に４個組み込まれている。
【００１０】
各エアセル２３，２４は、袋状に形成されて、空気を供排することにより空気圧によって膨張収縮動作するように構成され、座部３側（上側）のエアセル２３は足保持溝２０に嵌合保持された足のふくらはぎを挟持状に押圧してマッサージをし、座部３とは反対側（下側）のエアセル２４は、足保持溝２０に嵌合保持された足の足首を挟持状に押圧してマッサージをするようになっている。
なお、前記エアセル１３，１４，２３，２４の膨張・収縮は、座部３の下方等に配置したコンプレッサーからの給排気により行われ、コンプレッサーからの給気・排気の切り替えは図示省略の制御部により制御されるバルブ等によって夫々別個に行われるように構成されている。
【００１１】
前記足支持部材５の底壁部１７と中央壁部１９とは一体に形成されている。左右一対の側壁部１８は底壁部１７とは別体に形成されて、底壁部１７の左右び外端面３０に固着したブラケット２７を介して縦方向の支持軸２８まわりに回動自在に取付られ、これにより左右一対の側壁部１８は、左右方向内方に折り畳み自在に構成され、左右一対の側壁部１８は、左右方向内方に折り畳まれる折畳姿勢と、中央壁部１９との間で一対の足保持溝２０を形成するように底壁部１７から突出する使用姿勢とに変更可能になるように、左右一対の側壁部１８が底壁部１７に対して矢印ａ及び矢印ｂ方向に回動自在に支持されている。
【００１２】
側壁部１８の側端面２９が底壁部１７の外端面３０にブラケット２７を介して接当することによって、側壁部１８の矢印ａ方向の回動が、使用姿勢で規制され、側壁部１８の先端が中央壁部１９の側面に接当することによって、側壁部１８の矢印ｂ方向の回動が、折畳姿勢で規制されるようになっている。
また、前記左右一対の側壁部１８を折畳姿勢にしたとき、各側壁部１８が一対の足保持溝２０側に倒れて足支持部材５がコンパクトになると共に、左右一対の側壁部１８が折畳姿勢にあるとき、エアセル２３，２４を膨張させることによって、左右一対の側壁部１８を、折畳姿勢から使用姿勢に自動的に展開することができるようになっている。
【００１３】
図４は他の実施の形態を示し、左右一対の側壁部１８を折畳姿勢と使用姿勢とに移動させる駆動手段として、左右一対のアクチュエータ３３を設けている。このアクチュエータ３３は例えば足支持部材５の下方に配置されている。各アクチュエータ３３は空気又はガス等の給排によって伸縮動作し、一対のアクチュエータ３３の外端部はブラケット３４を介して側壁部１８の内端部に連結され、一対のアクチュエータ３３の内端部同士は互いに支持軸３５まわりに回動自在に連結されており、一対のアクチュエータ３３の伸長動作により、左右一対の側壁部１８を使用姿勢から折畳姿勢に移動（回動）させ、また一対のアクチュエータ３３の縮小動作によって、左右一対の側壁部１８を折畳姿勢から使用姿勢に自動的に移動（回動）させるようになっている。その他の点は前記実施の形態の場合と同様の構成であり、図示省略しているが、前記実施の形態の場合と同様に、足支持部材５が椅子型のマッサージ機の座部３の前部下方に設けられ、足支持部材５の各足保持溝２０における後、左、右の各内壁面に、エアセル２３、２４が、足保持溝２０の溝方向の一端側と他端側とに分けて６個ずつ設けられている。従って、前記実施の形態の場合と同様に、左右一対の側壁部１８が折畳姿勢にあるとき、エアセル２３，２４を膨張させることによって、左右一対の側壁部１８を、折畳姿勢から使用姿勢に自動的に展開することもできる。
【００１４】
なお、前記実施の形態では、一対のアクチュエータ１８の伸縮動作によって、左右一対の側壁部１８を使用姿勢から折畳姿勢に移動（回動）させると共に、折畳姿勢から使用姿勢に移動（回動）させるようにしているが、これに代え、一対のアクチュエータ１８の伸長動作によって、左右一対の側壁部１８を使用姿勢から折畳姿勢に移動（回動）させると共に、エアセル２３，２４の膨張させることによって、左右一対の側壁部１８を、折畳姿勢から使用姿勢に展開するようにしてもよい。
【００１５】
また、一対のアクチュエータ１８を空気の給排により伸縮動作させるようにし、前記エアセル１３，１４，２３，２４に空気を給排気するコンプレッサーを、一対のアクチュエータ１８への空気の給排気に兼用するようにしてもよい。
図５及び図６は他の実施の形態を示し、前記実施の形態の場合に比べて、中央壁部１９の底壁部１７からの突出長さを短く形成すると共に、左右一対の側壁部１８の外側部をやや外側方に膨出させて、左右一対の側壁部１８を折畳姿勢にしたとき、図６に示す如く中央壁部１９及び左右一対の側壁部１８の前面側が略面一になって、足支持部材５をよりコンパクトに折り畳むことができるようにしたものである。その他の点は前記実施の形態の場合と同様である。なお、この実施の形態の場合も、図４の実施の形態の場合と同様に、左右一対の側壁部１８を折畳姿勢と使用姿勢とに移動させる駆動手段として、左右一対のアクチュエータ３３を設けるようにしてもよい。
【００１６】
なお、前記実施の形態では、左右一対の側壁部１８を折畳姿勢と使用姿勢とに移動させる駆動手段として、左右一対のアクチュエータ３３を設けているが、左右一対のアクチュエータ３３に代えて、１個のアクチュエータ３３で左右一対の側壁部１８を折畳姿勢と使用姿勢とに移動させるようにしてもよいし、またアクチュエータ３３に代えて、モータその他の駆動手段を設けるようにしてもよい。
また、前記実施の形態では、本願発明を、椅子型のマッサージ機に適用実施しているが、本願発明が適用されるマッサージ機は、椅子型のマッサージ機に限定されず、足支持部材５を備えるマッサージ機であれば、ベット式その他のマッサージ機にも適用実施することが可能である。
【００１７】
【発明の効果】
本発明によれば、左右一対の側壁部１８を左右方向内方に折り畳むことにより、足支持部材５をコンパクトに折り畳むことができ、収納や運搬の際や不使用時の際等に嵩張らないようになり、非常に便利である。
【図面の簡単な説明】
【図１】本発明の一実施の形態を示す足支持部材の平面図である。
【図２】同足支持部材を折り畳み状態にした平面図である。
【図３】同マッサージ機の全体斜視図である。
【図４】他の実施の形態を示す足支持部材の平面図である。
【図５】他の実施の形態を示す展開状態の足支持部材の平面図である。
【図６】同折り畳み状態の足支持部材の平面図である。
【符号の説明】
１    マッサージ機
５    足支持部材
１７  底壁部
１８  側壁部
１９  中央壁部
２０  足保持溝
２３  エアセル
２４  エアセル
【図１】
0004405025.tif 000002
【図２】
0004405025.tif 000003
【図３】
0004405025.tif 000004
【図４】
0004405025.tif 000005
【図５】
0004405025.tif 000006
【図６】
0004405025.tif 000007